(57)【要約】【課題】洗浄槽内に鍋蓋の保持箇所が設けられ、鍋蓋の両面がしっかり洗浄でき、食器類の保持効率が向上できる食器洗浄機を得ることを目的とする。【解決手段】食器洗浄機は、上方が開口した洗浄槽を引き出し自在に収納する食器洗浄機であって、洗浄槽内の下部にて、食器を保持する下かごと、洗浄槽内の下かごの上方にて、食器を保持する上かごと、を備え、上かごの一部には、横方向両側から高さが下方に低くなり、鍋蓋のつまみを当該つまみの横方向両側を含む領域で引っ掛けるつまみ保持部が設けられる。【選択図】図４
2020075005.tif 000002
【特許請求の範囲】
【請求項１】
上方が開口した洗浄槽を引き出し自在に収納する食器洗浄機であって、
前記洗浄槽内の下部にて、食器を保持する下かごと、
前記洗浄槽内の前記下かごの上方にて、食器を保持する上かごと、
を備え、
前記上かごの一部には、横方向両側から高さが下方に低くなり、鍋蓋のつまみを当該つまみの横方向両側を含む領域で引っ掛けるつまみ保持部が設けられる食器洗浄機。
【請求項２】
前記つまみ保持部は、前記上かごの一部を凹ませて形成される請求項１に記載の食器洗浄機。
【請求項３】
前記つまみ保持部は、上部が開放された形状である請求項１又は請求項２に記載の食器洗浄機。
【請求項４】
前記つまみ保持部の上方には、前記つまみ保持部に連通して前記つまみ保持部よりも開口面積が広く形成されるとともに、上部にて前記つまみ保持部の他の部分との両側の境界箇所を繋げ、鍋蓋のつまみを挿入自在であるつまみ挿入部が設けられる請求項１又は請求項２に記載の食器洗浄機。
【請求項５】
前記つまみ保持部は、下方に向かって狭くなる形状である請求項１〜請求項４のいずれか１項に記載の食器洗浄機。
【請求項６】
前記つまみ保持部は、鍋蓋のつまみを引っ掛けた箇所よりも下方の部分に、当該つまみ保持部に保持された鍋蓋を立てた姿勢に矯正する鍋蓋支持部を兼ねさせる請求項５に記載の食器洗浄機。
【請求項７】
前記つまみ保持部は、Ｖ字形状である請求項５又は請求項６に記載の食器洗浄機。
【請求項８】
前記つまみ保持部は、Ｕ字形状である請求項５又は請求項６に記載の食器洗浄機。
【請求項９】
前記つまみ保持部は、前記洗浄槽の中心側に形成される請求項１〜請求項８のいずれか１項に記載の食器洗浄機。
【請求項１０】
前記つまみ保持部は、前記洗浄槽の前後又は左右の中心側に形成されるとともに、前記洗浄槽内の前後又は左右の片側に寄って形成される請求項９に記載の食器洗浄機。
【請求項１１】
前記つまみ保持部は、前記上かごの縁部に形成される請求項１〜請求項１０のいずれか１項に記載の食器洗浄機。
【請求項１２】
前記上かごの縁部の一部には、当該縁部よりも高さの高い保持台が設けられ、
前記つまみ保持部は、前記保持台に形成される請求項１１に記載の食器洗浄機。
【請求項１３】
前記上かごは、第１上かごと、第２上かごと、を有し、
前記つまみ保持部は、前記第１上かごと前記第２上かごとが隙間を介して対向した前記第１上かご又は前記第２上かごの少なくとも一方の縁部に形成される請求項１１又は請求項１２に記載の食器洗浄機。
【請求項１４】
前記つまみ保持部は、前記下かごにおいて高さの低い食器が保持される領域の上方に設けられる請求項１〜請求項１３のいずれか１項に記載の食器洗浄機。
【請求項１５】
前記上かごは、線材で構成される請求項１〜請求項１４のいずれか１項に記載の食器洗浄機。
【発明の詳細な説明】
【技術分野】
【０００１】
本発明は、洗浄槽内の下部にて食器を保持する下かご及び洗浄槽内の下かごの上方にて食器を保持する上かごを備える食器洗浄機に関する。
【背景技術】
【０００２】
洗浄槽内の下部にて食器を保持する下かご及び洗浄槽内の下かごの上方にて食器を保持する上かごを備える食器洗浄機が知られている（たとえば、特許文献１参照）。特許文献１に記載の食器洗浄機では、上かごには、水平方向に移動自在な第１上かごと、第１上かごに着脱自在な第２上かごとが設けられている。そして、第１上かごと第２上かごとを連結した状態で上かごが水平方向に移動でき、下かごへの食器の保持が容易に行える。また、第１上かごのみに食器を保持させ、第２上かごを取り外した状態で食器洗浄機が使用でき、下かごに大きな食器又は鍋が保持できる。さらに、第２上かごが第１上かご側に折り畳まれ、食器洗浄機が使用できる。
【先行技術文献】
【特許文献】
【０００３】
【特許文献１】特開２０１１−７８５７２号公報
【発明の概要】
【発明が解決しようとする課題】
【０００４】
しかしながら、特許文献１に記載の食器洗浄機では、調理器具である鍋を洗浄するときに、鍋と一緒に使用される鍋蓋を保持する箇所が無く、鍋蓋が洗浄槽内に平置きされていた。このように洗浄槽内に鍋蓋を平置きして食器洗浄機で洗浄すると、主に下部のノズルから斜め上方などの上方に向けて洗浄水を噴射する食器洗浄機では、鍋蓋の下側の片面しか洗浄できず、洗い残しが発生する課題があった。また、平置きした鍋蓋は、広い保持領域を占めてしまい、洗浄槽内に多くの食器類が保持できなくなる課題があった。
【０００５】
本発明は、上記課題を解決するためのものであり、洗浄槽内に鍋蓋の保持箇所が設けられ、鍋蓋の両面が洗浄でき、食器類の保持効率が向上できる食器洗浄機を得ることを目的とする。
【課題を解決するための手段】
【０００６】
本発明に係る食器洗浄機は、上方が開口した洗浄槽を引き出し自在に収納する食器洗浄機であって、前記洗浄槽内の下部にて、食器を保持する下かごと、前記洗浄槽内の前記下かごの上方にて、食器を保持する上かごと、を備え、前記上かごの一部には、横方向両側から高さが下方に低くなり、鍋蓋のつまみを当該つまみの横方向両側を含む領域で引っ掛けるつまみ保持部が設けられるものである。
【発明の効果】
【０００７】
本発明に係る食器洗浄機によれば、上かごの一部には、横方向両側から高さが下方に低くなり、鍋蓋のつまみを当該つまみの横方向両側を含む領域で引っ掛けるつまみ保持部が設けられる。これにより、鍋蓋が洗浄槽内にて上かごの一部のつまみ保持部によって立てて保持され、主に下部のノズルから上方に向けて洗浄水を噴射する食器洗浄機でも垂直面に設置された鍋蓋の両面の双方が上方に向けて噴射される洗浄水によって洗浄できる。また、立てて保持された鍋蓋は、広い保持領域を占めない。したがって、洗浄槽内に鍋蓋の保持箇所が設けられ、鍋蓋の両面が洗浄でき、食器類の保持効率が向上できる。
【図面の簡単な説明】
【０００８】
【図１】本発明の実施の形態１に係る食器洗浄機付きシステムキッチンを示す外観斜視図である。
【図２】本発明の実施の形態１に係る食器洗浄機の洗浄槽を引き出した状態のシステムキッチンを示す外観斜視図である。
【図３】本発明の実施の形態１に係る食器洗浄機を示す正面図である。
【図４】本発明の実施の形態１に係る食器かごを示す模式斜視図である。
【図５】本発明の実施の形態１に係るつまみ保持部を示す図４のＡ部の拡大図である。
【図６】本発明の実施の形態１に係る鍋蓋のつまみを引っ掛けたつまみ保持部を示す説明図である。
【図７】本発明の実施の形態１に係る異なる鍋蓋のつまみを引っ掛けたつまみ保持部を示す説明図である。
【図８】本発明の実施の形態１に係る食器かごのうち食器類を保持した下かごを示す上視図である。
【図９】本発明の実施の形態１に係る食器かごのうち食器類を保持した上かごを示す上視図である。
【図１０】本発明の実施の形態１に係る食器類を保持した上かご及び下かごを図９のＢ−Ｂ線の断面にて示す方向から見た洗浄槽内の模式図である。
【図１１】本発明の実施の形態１の変形例１に係るつまみ保持部を示す拡大図である。
【図１２】本発明の実施の形態１の変形例２に係るつまみ保持部を示す拡大図である。
【図１３】本発明の実施の形態１の変形例３に係るつまみ挿入部付きつまみ保持部を示す拡大図である。
【発明を実施するための形態】
【０００９】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１０】
実施の形態１．
＜システムキッチン１００の全体構成＞
図１は、本発明の実施の形態１に係る食器洗浄機１付きシステムキッチン１００を示す外観斜視図である。図２は、本発明の実施の形態１に係る食器洗浄機１の洗浄槽２を引き出した状態のシステムキッチン１００を示す外観斜視図である。
【００１１】
図１及び図２に示すように、システムキッチン１００は、食器洗浄機１を備える。システムキッチン１００は、図示しない加熱調理器及びシンクを備えても良い。食器洗浄機１、加熱調理器及びシンクなどは、一体化したユニットに形成されている。システムキッチン１００は、キッチンの小物を収納する引き出し１０１と、鍋又はフライパンなどを収納する収納庫１０２と、を備える。引き出し１０１は、収納庫１０２の上方に配置されている。
【００１２】
食器洗浄機１は、食後の汚れた食器を洗浄する。食器洗浄機１の上方の平面部１０３は、まな板などを載置する載置部に形成されている。図１及び図２では、平面部１０３は、食器洗浄機１の両側の引き出し１０１上にも形成されている。
【００１３】
図示しない加熱調理器は、食器洗浄機１の隣などに配置されている。加熱調理器は、載置面にて電磁誘導コイルによって鍋又はフライパンなどを加熱する。加熱調理器は、内部に魚などを焼くグリルを内蔵している。
【００１４】
シンクは、食器洗浄機１の隣などに配置されている。シンクは、キッチン水栓の蛇口から水を流す水槽状のユニットである。
【００１５】
図２に示すように、食器洗浄機１は、直方体形状の本体３で区画されたユニットである。食器洗浄機１は、本体３からシステムキッチン１００の使用者の手前側である正面側に洗浄槽２を引き出し自在である。引き出し式の洗浄槽２では、上部が開口されている。洗浄槽２には、上部の開口から洗浄槽２内に食後の汚れた食器が並べられ、洗浄される。
【００１６】
＜食器洗浄機１の外観構成＞
図３は、本発明の実施の形態１に係る食器洗浄機１を示す正面図である。図３に示すように、洗浄槽２の正面側の外側面には、水平方向に延伸する所定幅の第１隙間４及び第２隙間５を有して第１化粧板６、第２化粧板７及び第３化粧板８が取り付けられている。第１化粧板６は、第２化粧板７の上方に配置されている。第２化粧板７は、第３化粧板８の上方に配置されている。第１化粧板６、第２化粧板７及び第３化粧板８は、システムキッチン１００の他のユニットの前側意匠面部と同じ色彩又は模様などの意匠が施されている。
【００１７】
第１化粧板６の上下方向長さは、食器洗浄機１の両側に隣接する引き出し１０１の上下方向長さと一致した長さである。第２化粧板７の上下方向長さは、食器洗浄機１の両側に隣接する収納庫１０２の上下方向長さと一致した長さである。第１化粧板６と第２化粧板７との間にて水平方向に延伸する第１隙間４は、食器洗浄機１に隣接する引き出し１０１と収納庫１０２との間の第１隣接隙間１０４の延長線上にまっすぐな直線を描くように形成されている。第３化粧板８の上下方向長さは、食器洗浄機１の両側に隣接する収納庫１０２の下方の下部化粧板１０５の上下方向長さと一致した長さである。第２化粧板７と第３化粧板８との間にて水平方向に延伸する第２隙間５は、食器洗浄機１に隣接する収納庫１０２と下部化粧板１０５との間の第２隣接隙間１０６の延長線上にまっすぐな直線を描くように形成されている。第１隙間４及び第１隣接隙間１０４の深さは、一致している。第２隙間５及び第２隣接隙間１０６の深さは、一致している。これにより、食器洗浄機１は、システムキッチン１００に一体化されて調和のとれた意匠を構成している。
【００１８】
食器洗浄機１の第１化粧板６と第２化粧板７との間の第１隙間４の中央部には、洗浄槽２を自動的に引き出す開動作を使用者が手指を触れて指令する接触スイッチ９が配置されている。接触スイッチ９は、第１隙間４の高さ幅の範囲内に上下方向長さを有するとともに、第１隙間４の横幅の一部の範囲内に横方向長さを有する。
【００１９】
使用者は、接触スイッチ９に手指を触れることにより、洗浄槽２が自動的に開動作を実施する。接触スイッチ９は、第１化粧板６及び第２化粧板７と面一に第１隙間４から突出している。これにより、使用者が目視せずに手指を第１隙間４に沿って移動させることにより、手指が接触スイッチ９に触れられる。
【００２０】
食器洗浄機１の接触スイッチ９の設けられた第１隙間４の使用者から見て左隣には、排気口１０が形成されている。排気口１０は、第１隙間４の高さ幅の範囲内に上下方向長さを有するとともに、第１隙間４の横幅の一部の範囲内に横方向長さを有する。排気口１０は、食器洗浄機１からの排気を室内に排出する。
【００２１】
食器洗浄機１の第３化粧板８の裏側内部空間には、洗浄槽２を自動的に引き出す開動作又は洗浄槽２を自動的に閉じる閉動作を実施させる図示しない駆動部及び移動機構が搭載されている。食器洗浄機１の第３化粧板８の裏側内部空間には、食器洗浄機１の各種制御を実施する図示しない機構群及び制御部も配置されても良い。
【００２２】
＜食器洗浄機１の内部構成＞
食器洗浄機１は、洗浄槽２内に、後述の図１０に示すような洗浄ノズル１１と、図示しないヒータとを備える。洗浄ノズル１１は、洗浄槽２内の下部に配置され、洗浄水を噴出する。ヒータは、洗浄水を加熱する。
【００２３】
また、食器洗浄機１は、洗浄槽２内の下部に、図示しない洗浄ポンプと、図示しない排水ポンプとを備える。洗浄ポンプは、洗浄ノズル１１に洗浄水を圧送する。排水ポンプは、汚れた洗浄水を排出する。
【００２４】
洗浄槽２の正面側縁部における洗浄槽２と第１化粧板６との間の図示しない上面部には、図示しない表示部と、図示しない操作部とが設けられている。
【００２５】
＜食器洗浄機１の動作＞
汚れた食器を洗浄する場合には、使用者が接触スイッチ９に手指を触れる。これにより、食器洗浄機１は、自動的に洗浄槽２を本体３から洗浄槽２の上部の開口を最大に露出させるように引き出す。そして、使用者は、洗浄槽２内に汚れた食器を並べる。食器が並べ終わると、使用者は、洗浄槽２内の洗浄水に洗剤を投入する。次に、使用者は、操作部のスタートスイッチをＯＮする。
【００２６】
次に、使用者は、第１化粧板６を手で押して洗浄槽２を本体３内に押し込む。このとき、使用者の洗浄槽２を押し込む動作の途中からは、食器洗浄機１が自動的に閉動作を実施すると良い。あるいは、使用者は、完全に洗浄槽２が引き出された食器洗浄機１の接触スイッチ９に手指を触れる。これにより、接触スイッチ９からの閉動作の指令によって、食器洗浄機１は、自動的に閉動作を実施しても良い。そして、食器洗浄機１は、洗浄槽２の本体３内への閉動作が完了すると、洗浄工程を実施する。
【００２７】
洗浄工程では、給水弁が開弁され、洗浄槽２内に洗浄水が給水される。そして、水量センサが所定量の洗浄水の給水を検知すると、給水弁が閉弁される。次に、ヒータが通電され、洗浄水が所望の温度に加熱される。そして、洗浄ポンプが駆動され、温水化した洗浄水が洗浄ノズル１１に圧送され、洗浄ノズル１１の図示しないノズル孔から斜め上方といった上方に向けて洗浄水が噴射され、食器が洗浄される。このとき、洗浄ノズル１１は、洗浄水の噴射による反力によって回転する。これにより、洗浄槽２内に並べられた食器に万遍なく洗浄水が噴射される。洗浄槽２内に噴射された洗浄水は、落下して洗浄槽２内の下部に集まり、再び洗浄ノズル１１から噴射される。この循環が繰り返され、全体として洗浄工程となっている。なお、洗浄工程では、洗浄槽２が本体３内に収納されているので、洗浄水が洗浄槽２外に飛散することはない。
【００２８】
所定時間経過すると、ヒータ及び洗浄ポンプへの通電が停止する。また、排水ポンプが駆動され、洗浄槽２内の汚水が外部に排出される。
【００２９】
汚水の排水が終わると、排水ポンプへの通電を停止し、給水弁が開弁され、新たな洗浄水が洗浄槽２内に給水される。以後、上述した洗浄工程と同様の動作によって食器のすすぎ洗いが行われ、所定時間のすすぎ洗いが終わると、すすぎ洗いに用いた洗浄水が排水される。このようなすすぎ洗いと排水とが数回繰り返される。この繰り返しがすすぎ工程となっている。このとき、図示しないリンスタンクからリンスが供給されてすすぎ洗い用の洗浄水に加えられ、食器が乾燥仕上げに適した状態になっても良い。
【００３０】
すすぎ工程が終了すると、送風機及びヒータが通電され、洗浄槽２内に外気が導入される。外気は、ヒータで加熱されて温風となり、洗浄槽２内に送られて食器及び洗浄槽２の内部全体を乾燥させる。乾燥に用いた温風は、排気口１０から食器洗浄機１の外部の室内に排出される。この工程が乾燥工程となる。
【００３１】
乾燥工程が所定時間経過すると、送風機及びヒータへの通電が停止され、乾燥工程が終了する。これにより、食器の洗浄、すすぎ及び乾燥が完了する。なお、これら一連の動作は、制御部のマイクロコンピュータに設定されたプログラムに従って自動的に行われる。
【００３２】
食器を取り出す場合には、使用者は、食器洗浄機１の洗浄完了のアナウンス又は表示などの報知を確認し、接触スイッチ９に手指を触れる。これにより、食器洗浄機１は、自動的に洗浄槽２を本体３から手前に引き出す。その後、使用者は、本体３から引き出された洗浄槽２の上部の開口から食器を取り出す。
【００３３】
＜食器かご２０の構成＞
図４は、本発明の実施の形態１に係る食器かご２０を示す模式斜視図である。図４に示すように、食器かご２０は、洗浄槽２内に食器類を保持する。食器かご２０は、上部が開口した引き出し式の洗浄槽２に着脱自在であり、上方から洗浄槽２内に収納できる。食器かご２０は、下かご２１と、上かご２２とを有する。
【００３４】
下かご２１は、洗浄槽２内の下部にて、食器類を保持する。下かご２１は、洗浄槽２内の底面を投影した領域よりも一回り小さい１つのかごである。下かご２１は、少なくとも底面を網目に形成され、洗浄水を内部に浸入させられる。ここでは、下かご２１は、線材で構成されている。なお、下かご２１は、網目状などで洗浄水が上かご２２内に通過できれば、樹脂成型品で構成されても良い。
【００３５】
下かご２１の縁部には、食器類の開口部を水平方向に向けて食器類を立てて保持する食器支持部２１ａが形成されている。なお、食器支持部２１ａは、下かご２１の縁部以外にも複数の支持棒などで下かご２１の内側範囲に上方に向けて形成されても良い。
【００３６】
上かご２２は、洗浄槽２内の下かご２１の上方にて、食器類を保持する。上かご２２は、第１上かご２２ａと、第２上かご２２ｂ及び第２上かご２２ｃとを有する。第１上かご２２ａは、水平方向に移動でき、これによって下かご２１への食器類の保持が容易に行える。第２上かご２２ｂ及び第２上かご２２ｃは、取り外し自在であり、取り外した状態で使用でき、これによって下かご２１に大きな食器又は鍋などが保持できる。さらに、第２上かご２２ｂ及び第２上かご２２ｃは、第１上かご２２ａ側などに折り畳まれた状態でも、食器洗浄機１が使用できる。
【００３７】
上かご２２は、少なくとも底面を網目に形成され、洗浄水を内部に浸入させられる。ここでは、上かご２２は、線材で構成されている。なお、上かご２２は、網目状などで洗浄水が上かご２２内に通過できれば、樹脂成型品で構成されても良い。
【００３８】
上かご２２の第１上かご２２ａ、第２上かご２２ｂ及び第２上かご２２ｃの縁部には、食器類の開口部を斜め下向きに向けて食器類を立てて保持する食器支持部２２ｄが形成されている。なお、食器支持部２２ｄは、上かご２２の縁部以外にも複数の支持棒などで上かご２２の内側範囲に上方に向けて形成されても良い。
【００３９】
＜つまみ保持部２４＞
ここで、上かご２２の上側縁部の一部には、上かご２２の上側縁部よりも高さの高い保持台２３が設けられている。保持台２３には、つまみ保持部２４が形成されている。つまみ保持部２４は、第１上かご２２ａと第２上かご２２ｂとが隙間を介して対向した第１上かご２２ａの縁部に形成されている。
【００４０】
なお、つまみ保持部２４は、第１上かご２２ａと第２上かご２２ｂとが隙間を介して対向した第２上かご２２ｂの縁部に形成されても良い。あるいは、第１上かご２２ａと第２上かご２２ｂとが隙間を介して対向した第１上かご２２ａ及び第２上かご２２ｂの双方の縁部に形成されても良い。つまみ保持部２４の数は、１以上であれば良い。
【００４１】
つまみ保持部２４は、上かご２２の一部にて、上かご２２の一部である横方向両側から高さが下方に低くなり、後述の鍋蓋３０のつまみ３１を当該つまみ３１の横方向両側を含む領域で引っ掛けるように設けられている。ここでは、つまみ保持部２４は、上かご２２の保持台２３を凹ませて形成されている。
【００４２】
つまみ保持部２４は、後述の図１０に示すように下かご２１において高さの低い食器類が保持される領域の上方に設けられている。つまみ保持部２４は、図４、後述の図９及び図１０に示すように洗浄槽２の前後又は左右の中心側に形成されるとともに、洗浄槽２内の左側に片側に寄って形成されている。なお、つまみ保持部２４は、洗浄槽２の中心領域に鍋蓋３０を保持できる空間を確保し易いので、洗浄槽２内の片側に寄らずに洗浄槽２の中心側に形成されても良い。
【００４３】
＜つまみ保持部２４の詳細＞
図５は、本発明の実施の形態１に係るつまみ保持部２４を示す図４のＡ部の拡大図である。図６は、本発明の実施の形態１に係る鍋蓋３０のつまみ３１を引っ掛けたつまみ保持部２４を示す説明図である。図７は、本発明の実施の形態１に係る異なる鍋蓋３０のつまみ３１を引っ掛けたつまみ保持部２４を示す説明図である。
【００４４】
図５に示すように、つまみ保持部２４は、上部が開放された形状である。つまみ保持部２４は、下方に向かって両側の線材が近づいて行って線材間の距離が狭くなる形状である。具体的には、つまみ保持部２４は、Ｖ字形状である。
【００４５】
図６及び図７に示すように、つまみ保持部２４は、鍋蓋３０のつまみ３１を引っ掛けた箇所よりも下方の部分に、鍋蓋支持部２５を兼ねさせている。鍋蓋支持部２５は、つまみ保持部２４に保持された鍋蓋３０を立てた姿勢に矯正する。
【００４６】
つまみ保持部２４につまみ３１を引っ掛けた鍋蓋３０は、自身の重みによって、つまみ３１とは反対側に上部を傾けて下がろうとする。このとき、鍋蓋支持部２５がつまみ保持部２４の下部に構成されているので、傾く鍋蓋３０の下部が鍋蓋支持部２５に当接し、鍋蓋３０が立てた姿勢に矯正され、鍋蓋３０が大きく傾くことが防止される。このような鍋蓋支持部２５は、図６及び図７に示すように、鍋蓋３０のつまみ３１の形状が異なるものでも鍋蓋３０の姿勢を矯正する機能を発揮する。
【００４７】
図５に示すように、鍋蓋支持部２５となるつまみ保持部２４の下部は、第１上かご２２ａの縁部の水平方向に延伸する線材２６と交差している。このため、つまみ保持部２４は、つまみ３１をつまみ保持部２４の両側の線材及び第１上かご２２ａの縁部の水平方向に延伸する線材２６によって囲んで引っ掛ける。しかし、つまみ保持部２４の下部には、第１上かご２２ａの縁部の水平方向に延伸する線材２６が無くても良い。
【００４８】
＜食器かご２０の使用状態＞
図８は、本発明の実施の形態１に係る食器かご２０のうち食器類を保持した下かご２１を示す上視図である。図９は、本発明の実施の形態１に係る食器かご２０のうち食器類を保持した上かご２２を示す上視図である。図１０は、本発明の実施の形態１に係る食器類を保持した上かご２２及び下かご２１を図９のＢ−Ｂ線の断面にて示す方向から見た洗浄槽２内の模式図である。
【００４９】
図８に示すように、下かご２１には、大皿４０、箸４１、茶碗又は汁椀４２、中鉢４３及び小皿４４などの食器類が並べて保持される。図９に示すように、上かご２２には、つまみ保持部２４に引っ掛けられた鍋蓋３０、並びに、中皿４５及びコップ又は湯呑４６などの食器類が保持される。つまみ保持部２４につまみ３１を引っ掛けられた鍋蓋３０及び箸立てに立てられた箸４１などは、第１上かご２２ａと第２上かご２２ｂ又は第２上かご２２ｃとの間の空間に配置される。
【００５０】
図１０に示すように、つまみ保持部２４は、下かご２１において高さの低い小皿４４などの食器類が保持される領域の上方に設けられている。ここで、つまみ保持部２４の下方の下かご２１の領域には、使用者が誤って高さの高い食器類を保持させないように、高さの低い食器類を保持する食器支持部２１ａが形成されても良い。これにより、つまみ３１をつまみ保持部２４に引っ掛けた大きな鍋蓋３０は、洗浄槽２内にて他の食器類に干渉せずに保持できる。
【００５１】
＜変形例１＞
図１１は、本発明の実施の形態１の変形例１に係るつまみ保持部２４を示す拡大図である。ここでは、上記実施の形態と同様の事項の説明を省略し、その特徴部分のみ説明する。
【００５２】
図１１に示すように、つまみ保持部２４は、上かご２２の縁部の食器支持部２２ｄに形成されている。なお、つまみ保持部２４は、上かご２２の底部における縁部の一部を凹ませて形成されても良い。
【００５３】
＜変形例２＞
図１２は、本発明の実施の形態１の変形例２に係るつまみ保持部２４を示す拡大図である。ここでは、上記実施の形態などと同様の事項の説明を省略し、その特徴部分のみ説明する。
【００５４】
図１２に示すように、つまみ保持部２４は、Ｕ字形状である。Ｕ字形状のつまみ保持部２４は、Ｖ字形状に比して鍋蓋支持部２５が無い構成になる。しかし、Ｕ字形状のつまみ保持部２４でも、鍋蓋３０のつまみ４１を引っ掛けられる。
【００５５】
＜変形例３＞
図１３は、本発明の実施の形態１の変形例３に係るつまみ挿入部２７付きつまみ保持部２４を示す拡大図である。ここでは、上記実施の形態などと同様の事項の説明を省略し、その特徴部分のみ説明する。
【００５６】
図１３に示すように、つまみ保持部２４の上方には、つまみ挿入部２７が設けられている。つまみ挿入部２７は、下部をつまみ保持部２４に連通してつまみ保持部２４よりも開口面積が広く円弧状に形成され、鍋蓋３０のつまみ３１を挿入自在である。つまみ挿入部２７は、上部にてつまみ保持部２４に対して他の保持台２３などの部分との両側の境界箇所を円弧状の線材で繋げている。
【００５７】
＜実施の形態１の効果＞
実施の形態１によれば、食器洗浄機１は、上方が開口した洗浄槽２を引き出し自在に収納する。食器洗浄機１は、洗浄槽２内の下部にて、食器を保持する下かご２１を備える。食器洗浄機１は、洗浄槽２内の下かご２１の上方にて、食器を保持する上かご２２を備える。上かご２２の一部には、横方向両側から高さが低くなり、鍋蓋３０のつまみ３１を当該つまみ３１の横方向両側を含む領域で引っ掛けるつまみ保持部２４が設けられている。
【００５８】
この構成によれば、鍋蓋３０が洗浄槽２内にて上かご２２の一部のつまみ保持部２４によって立てて保持され、主に下部の洗浄ノズル１１から上方に向けて洗浄水を噴射する食器洗浄機１でも垂直面に設置された鍋蓋３０の両面の双方が上方に向けて噴射される洗浄水によって洗浄できる。さらに、洗浄槽２内に鍋蓋３０が他の食器と同じように立てて保持されるので、鍋蓋３０が広い保持領域を占めず、洗浄槽２内にて食器類を保持する保持効率が向上できる。したがって、洗浄槽２内に鍋蓋３０の保持箇所が設けられ、鍋蓋３０の両面がしっかり洗浄でき、食器類の保持効率が向上できる。また、食器洗浄機１の乾燥工程では、つまみ保持部２４につまみ３１を引っ掛けて立てて保持された鍋蓋３０の水切れが良く、鍋蓋３０の表面に水滴が残り難く、乾燥効率が向上できる。
【００５９】
実施の形態１によれば、つまみ保持部２４は、上かご２２の一部を凹ませて形成されている。
【００６０】
この構成によれば、鍋蓋３０のつまみ３１が洗浄槽２内にて上かご２２の一部を凹ませて形成されたつまみ保持部２４に引っ掛けられ、鍋蓋３０が立てて保持できる。
【００６１】
実施の形態１によれば、つまみ保持部２４は、上部が開放された形状である。
【００６２】
この構成によれば、使用者が上方の開口した洗浄槽２を引き出し、鍋蓋３０のつまみ３１を洗浄槽２の開口した上方から下方に下してつまみ保持部２４に容易に引っ掛けられる。
【００６３】
実施の形態１によれば、つまみ保持部２４の上方には、つまみ保持部２４に連通してつまみ保持部２４よりも開口面積が広く形成されるとともに、上部にてつまみ保持部２４に対して上かご２２の他の部分との両側の境界箇所を繋げ、鍋蓋３０のつまみ３１を挿入自在であるつまみ挿入部２７が設けられている。
【００６４】
この構成によれば、上かご２２の一部につまみ保持部２４が設けられても、つまみ保持部２４の上方に連続してつまみ挿入部２７が設けられ、つまみ保持部２４の上方がつまみ保持部２４に対して上かご２２の他の部分との両側の境界箇所を繋いだつまみ挿入部２７によって補強できる。このため、つまみ保持部２４が設けられることによる上かご２２の強度不足が補える。
【００６５】
実施の形態１によれば、つまみ保持部２４は、下方に向かって狭くなる形状である。
【００６６】
この構成によれば、鍋蓋３０のつまみ３１の大きさが異なっていても、つまみ保持部２４が鍋蓋３０のつまみ３１を引っ掛けられる。すなわち、鍋蓋３０のつまみ３１が大きい場合には、大きいつまみ３１がつまみ保持部２４の上部側で引っ掛かる。鍋蓋３０のつまみ３１が小さい場合には、小さいつまみ３１がつまみ保持部２４の下部側で引っ掛かる。
【００６７】
実施の形態１によれば、つまみ保持部２４は、鍋蓋３０のつまみ３１を引っ掛けた箇所よりも下方の部分に、当該つまみ保持部２４に保持された鍋蓋３０を立てた姿勢に矯正する鍋蓋支持部２５を兼ねさせている。
【００６８】
この構成によれば、鍋蓋３０のつまみ３１がつまみ保持部２４に引っ掛かると、つまみ保持部２４のつまみ３１の引っ掛かった箇所よりも下方の部分が鍋蓋支持部２５を兼ねて鍋蓋３０におけるつまみ３１よりも下部に当接し、鍋蓋３０が立てた姿勢に矯正できる。
【００６９】
実施の形態１によれば、つまみ保持部２４は、Ｖ字形状である。
【００７０】
この構成によれば、つまみ保持部２４が下方に向かって狭くなる形状に形成できる。
【００７１】
実施の形態１によれば、つまみ保持部２４は、Ｕ字形状である。
【００７２】
この構成によれば、つまみ保持部２４が下方に向かって狭くなる形状に形成できる。
【００７３】
実施の形態１によれば、つまみ保持部２４は、洗浄槽２の中心側に形成されている。
【００７４】
この構成によれば、洗浄槽２の中心側に形成されたつまみ保持部２４につまみ３１を引っ掛けた大きな鍋蓋３０が洗浄槽２内に立てて保持でき、大きな鍋蓋３０の両面をしっかり洗浄できる。
【００７５】
実施の形態１によれば、つまみ保持部２４は、洗浄槽２の前後又は左右の中心側に形成されるとともに、洗浄槽２内の前後又は左右の片側に寄って形成されている。
【００７６】
洗浄槽２内のちょうど中央では、洗浄ノズル１１から上方に噴射される洗浄水が当たり難い。この構成によれば、つまみ保持部２４が洗浄槽２の前後又は左右の中心側に形成されるとともに、洗浄槽２内の前後又は左右の片側に寄って形成されている。このため、洗浄ノズル１１から上方に噴射される洗浄水がつまみ保持部２４につまみ３１を引っ掛けた鍋蓋３０に当たり易く、鍋蓋３０の洗浄効率が向上できる。
【００７７】
実施の形態１によれば、つまみ保持部２４は、上かご２２の縁部に形成されている。
【００７８】
この構成によれば、上かご２２内にコップ又は湯呑４６などの他の食器類を保持した状態でも、鍋蓋３０のつまみ３１が上かご２２の縁部のつまみ保持部２４に引っ掛けられて鍋蓋３０も洗浄槽２内に効率良く保持できる。
【００７９】
実施の形態１によれば、上かご２２の縁部の一部には、当該縁部よりも高さの高い保持台２３が設けられている。つまみ保持部２４は、保持台２３に形成されている。
【００８０】
この構成によれば、鍋蓋３０のつまみ３１が上かご２２の縁部よりも高さの高い保持台２３に形成されたつまみ保持部２４に引っ掛けられて大きな鍋蓋３０が洗浄槽２内にて高い位置に保持される。このため、大きな鍋蓋３０が下かご２１において食器類の保持された領域の上方に位置しても、大きな鍋蓋３０が下かご２１内に保持された食器類と干渉しない。
【００８１】
実施の形態１によれば、上かご２２は、第１上かご２２ａと、第２上かご２２ｂとを有する。つまみ保持部２４は、第１上かご２２ａと第２上かご２２ｂとが隙間を介して対向した第１上かご２２ａ又は第２上かご２２ｂの少なくとも一方の縁部に形成されている。
【００８２】
この構成によれば、第１上かご２２ａ及び第２上かご２２ｂ内にコップ又は湯呑４６などの他の食器類を保持した状態でも、鍋蓋３０のつまみ３１がつまみ保持部２４に引っ掛けられて大きな鍋蓋３０も第１上かご２２ａと第２上かご２２ｂとの間を有効利用して洗浄槽２内に効率良く保持できる。
【００８３】
実施の形態１によれば、つまみ保持部２４は、下かご２１において高さの低い食器類が保持される領域の上方に設けられている。
【００８４】
この構成によれば、鍋蓋３０のつまみ３１がつまみ保持部２４に引っ掛けられて大きな鍋蓋３０が下かご２１において高さの低い食器類の保持された領域の上方に効率良く保持でき、大きな鍋蓋３０が下かご２１内に保持された食器類と干渉しない。
【００８５】
実施の形態１によれば、上かご２２は、線材で構成されている。
【００８６】
この構成によれば、洗浄ノズル１１から噴射される洗浄水が線材で構成された上かご２２内を通過し易く、食器洗浄機１の洗浄能力が向上できる。
【００８７】
なお、食器洗浄機１は、システムキッチン１００に組み込まずに単体の構成でも良い。
【符号の説明】
【００８８】
１  食器洗浄機、２  洗浄槽、３  本体、４  第１隙間、５  第２隙間、６  第１化粧板、７  第２化粧板、８  第３化粧板、９  接触スイッチ、１０  排気口、１１  洗浄ノズル、２０  食器かご、２１  下かご、２１ａ  食器支持部、２２  上かご、２２ａ  第１上かご、２２ｂ  第２上かご、２２ｃ  第２上かご、２２ｄ  食器支持部、２３  保持台、２４  つまみ保持部、２５  鍋蓋支持部、２６  線材、２７  つまみ挿入部、３０  鍋蓋、３１  つまみ、４０  大皿、４１  箸、４２  茶碗又は汁椀、４３  中鉢、４４  小皿、４５  中皿、４６  コップ又は湯呑、１００  システムキッチン、１０１  引き出し、１０２  収納庫、１０３  平面部、１０４  第１隣接隙間、１０５  下部化粧板、１０６  第２隣接隙間。
【図１】
2020075005.tif 000003
【図２】
2020075005.tif 000004
【図３】
2020075005.tif 000005
【図４】
2020075005.tif 000006
【図５】
2020075005.tif 000007
【図６】
2020075005.tif 000008
【図７】
2020075005.tif 000009
【図８】
2020075005.tif 000010
【図９】
2020075005.tif 000011
【図１０】
2020075005.tif 000012
【図１１】
2020075005.tif 000013
【図１２】
2020075005.tif 000014
【図１３】
2020075005.tif 000015